(57)【要約】【課題】機能層とポリ（メタ）アクリルイミド系樹脂フィルム層との密着強度に優れ、画像表示装置の部材、例えば、タッチパネルのディスプレイ面板や透明導電性基板として好適に用いることのできる積層体を提供すること【解決手段】表層側から順に、（α）機能層と（β）ポリ（メタ）アクリルイミド系樹脂フィルム層とを有し、上記（α）機能層は、光拡散機能、反射防止機能、耐汚染性機能、防曇性機能、抗菌性機能、熱伝導性機能、及び帯電防止機能、からなる群から選択される１以上の機能を有し、全光線透過率が８０％以上であることを特徴とする積層体。好ましくは、上記ポリ（メタ）アクリルイミド系樹脂フィルムは、全光線透過率８５％以上、ヘーズ３．０％以下である。【選択図】図１
2015033851.tif 000002
【特許請求の範囲】
【請求項１】
表層側から順に、（α）機能層と（β）ポリ（メタ）アクリルイミド系樹脂フィルム層とを有し、
上記（α）機能層は、光拡散機能、反射防止機能、耐汚染性機能、防曇性機能、抗菌性機能、熱伝導性機能、及び帯電防止機能、からなる群から選択される１以上の機能を有し、
全光線透過率が８０％以上であることを特徴とする積層体。
【請求項２】
上記ポリ（メタ）アクリルイミド系樹脂フィルムが、下記特性（イ）、及び（ロ）を満たすことを特徴とする請求項１に記載の積層体。
（イ）全光線透過率 ８５％以上。
（ロ）ヘーズ  ３．０％以下。
【請求項３】
上記ポリ（メタ）アクリルイミド系樹脂フィルムの、少なくとも上記（α）機能層との積層面側の濡れ指数が、５０ｍＮ／ｍ以上であることを特徴とする請求項１又は２に記載の積層体。
【請求項４】
上記ポリ（メタ）アクリルイミド系樹脂フィルムの、少なくとも上記（α）機能層との積層面側の上に、更にアンカーコートを有することを特徴とする請求項１〜３の何れか１項に記載の積層体。
【請求項５】
上記アンカーコートが、アミノ基を有するシランカップリング剤を含むことを特徴とする請求項４に記載の積層体。
【請求項６】
上記アンカーコートが、熱可塑性ウレタン系アンカーコート剤を含むことを特徴とする請求項４に記載の積層体。
【請求項７】
請求項１〜６の何れか１項に記載の積層体の、画像表示装置部材としての使用。
【請求項８】
請求項１〜６の何れか１項に記載の積層体を含む画像表示装置部材。
【発明の詳細な説明】
【技術分野】
【０００１】
本発明は、ポリ（メタ）アクリルイミド系樹脂積層体に関する。更に詳しくは、機能層とポリ（メタ）アクリルイミド系樹脂フィルム層との密着強度に優れ、タッチパネルのディスプレイ面板や透明導電性基板として好適に用いることのできるポリ（メタ）アクリルイミド系樹脂積層体に関する。
【背景技術】
【０００２】
近年、液晶ディスプレイ、プラズマディスプレイ、及びエレクトロルミネセンスディスプレイ等の画像表示装置上に設置され、表示を見ながら指やペン等でタッチすることにより入力を行うことのできるタッチパネルが普及している。
【０００３】
従来、タッチパネルのディスプレイ面板や透明導電性基板には、耐熱性、寸法安定性、高透明性、高表面硬度、及び高剛性などの要求特性に合致することから、ガラスを基材とする部材が使用されてきた。一方、ガラスには、耐衝撃性が低く割れ易い、加工性が低い、ハンドリングが難しい、比重が高く重い、ディスプレイの曲面化やフレキシブル化の要求に応えることが難しいなどの問題がある。そこでガラスに替わる材料が盛んに研究されており、トリアセチルセルロース、ポリエチレンテレフタレート、ポリカーボネート、ポリメタクリル酸メチル、及びノルボルネン系重合体などの透明樹脂フィルム基材の表面に表面硬度と耐擦傷性に優れるハードコートを形成したハードコート積層フィルムが多数提案されている（例えば、特許文献１）。しかし、その耐熱性や寸法安定性は不十分である。
【０００４】
特に透明導電性基板の代替については、透明導電膜を形成する際にプロセス温度を高く保って透明導電膜の結晶化度を高め、表面抵抗を低くしたいところ、透明樹脂フィルム基材の耐熱性が不充分であるため、プロセス温度を上げることができない；透明樹脂フィルム基材の耐熱性が不充分であるため、透明導電性積層フィルムの上に更に薄膜トランジスタを形成することはできない；などの理由によりハードコート積層フィルムの採用は進んでいない。透明導電性基板には専らガラスが使用されているというのが現状である。
【０００５】
そこで本発明者は、ポリ（メタ）アクリルイミド系樹脂を透明樹脂フィルム基材として用いることを考えた。ポリ（メタ）アクリルイミド系樹脂は、アクリル系樹脂の高透明性、高表面硬度、高剛性という特徴はそのままにポリイミド系樹脂の耐熱性や寸法安定性に優れるという特徴を導入し、淡黄色から赤褐色に着色するという欠点を改良した熱可塑性樹脂であり、例えば、特許文献２に開示されている。しかし、通常のTダイ押出法では、表面平滑性、透明性、外観に優れたポリ（メタ）アクリルイミド系樹脂フィルムを得ることはできなかった。また特許文献３には、「膜厚が薄く、ダイライン、表面粗さおよびフィルムシワが良好なアクリルフィルムおよびその製造方法」が開示されている。ポリ（メタ）アクリルイミド系樹脂はアクリル系樹脂としての特性も有することから、本発明者は特許文献３の技術の適用を試みたが、やはり表面平滑性、透明性、外観に優れたポリ（メタ）アクリルイミド系樹脂フィルムを得ることはできなかった。また本発明者が、試験したところ、機能層とポリ（メタ）アクリルイミド系樹脂フィルムとの密着強度は、機能層の形成に用いる材料によっては、十分に満足のできるものにならないことのあることが分かった。
【先行技術文献】
【特許文献】
【０００６】
【特許文献１】特開２０１３−２０８８９６号公報
【特許文献２】特表２０１１−５１９９９９号公報
【特許文献３】特開２００９−２９２８７１号公報
【発明の概要】
【発明が解決しようとする課題】
【０００７】
本発明の課題は、機能層とポリ（メタ）アクリルイミド系樹脂フィルム層との密着強度に優れ、画像表示装置（タッチパネル機能を有する画像表示装置及びタッチパネル機能を有しない画像表示装置を含む。）の部材、例えば、タッチパネルのディスプレイ面板や透明導電性基板として好適に用いることのできる積層体を提供することにある。
【課題を解決するための手段】
【０００８】
本発明者は、鋭意研究した結果、特定の積層体が上記課題を達成できることを見出した。
【０００９】
すなわち本発明は、表層側から順に、（α）機能層と（β）ポリ（メタ）アクリルイミド系樹脂フィルム層とを有し、上記（α）機能層は、光拡散機能、反射防止機能、耐汚染性機能、防曇性機能、抗菌性機能、熱伝導性機能、及び帯電防止機能、からなる群から選択される１以上の機能を有し、全光線透過率が８０％以上であることを特徴とする積層体である。
【００１０】
本発明の第２の発明は、上記ポリ（メタ）アクリルイミド系樹脂フィルムが、下記特性（イ）、及び（ロ）を満たすことを特徴とする第１の発明に記載の積層体である。
（イ）全光線透過率 ８５％以上。
（ロ）ヘーズ  ３．０％以下。
【００１１】
本発明の第３の発明は、上記ポリ（メタ）アクリルイミド系樹脂フィルムの、少なくとも上記（α）機能層との積層面側の濡れ指数が、５０ｍＮ／ｍ以上であることを特徴とする第１の発明又は第２の発明に記載の積層体である。
【００１２】
本発明の第４の発明は、上記ポリ（メタ）アクリルイミド系樹脂フィルムの、少なくとも上記（α）機能層との積層面側の上に、更にアンカーコートを有することを特徴とする第１〜３の発明の何れか１に記載の積層体である。
【００１３】
本発明の第５の発明は、上記アンカーコートが、アミノ基を有するシランカップリング剤を含むことを特徴とする第４の発明に記載の積層体である。
【００１４】
本発明の第６の発明は、上記アンカーコートが、熱可塑性ウレタン系アンカーコート剤を含むことを特徴とする第４の発明に記載の積層体である。
【００１５】
本発明の第７の発明は、第１〜６の発明の何れか１に記載の積層体の、画像表示装置部材としての使用である。
【００１６】
本発明の第８の発明は、第１〜６の発明の何れか１に記載の積層体を含む画像表示装置部材である。
【発明の効果】
【００１７】
本発明の積層体は、機能層とポリ（メタ）アクリルイミド系樹脂フィルム層との密着強度に優れ、画像表示装置に要求される１以上の機能を有し、透明性、剛性、耐熱性、及び寸法安定性に優れ、色調も良好である。そのため液晶ディスプレイ、プラズマディスプレイ、エレクトロルミネセンスディスプレイ等の画像表示装置の部材（タッチパネル機能を有する画像表示装置及びタッチパネル機能を有しない画像表示装置を含む。）、例えば、タッチパネルのディスプレイ面板や透明導電性基板として好適に用いることができる。
【発明を実施するための形態】
【００１８】
（α）機能層
本発明の積層体は、（β）ポリ（メタ）アクリルイミド系樹脂フィルム層の表面側（画像表示装置の表となる側）に（α）機能層を有する。上記層αは、光拡散機能、反射防止機能、耐汚染性機能、防曇性機能、抗菌性機能、熱伝導性機能、及び帯電防止機能、からなる群から選択される１以上の機能を有する。
【００１９】
上記層αの有する機能は、１に限らず２以上であってもよい。層αが２以上の機能を有する場合、１つの層で２以上の機能を有するようにしてもよく、１つの層には１つの機能を持たせ、これらを積層することにより２以上の機能を有するようにしてもよい。また２以上の層を積層することにより１又は２以上の機能を有するようにしてもよい。
【００２０】
光拡散機能
上記層αに光拡散機能を付与する場合について説明する。層αに光拡散機能を付与することにより、透過型画像表示装置において、画像が拡大投影された場合にも、輝度が画面の端部と中央部とで異なることなく、良好な画像が表示されるようになる。
【００２１】
上記層αに、光拡散機能を付与する方法は、透明性に優れた積層体を得ることができる限り、好ましくは透明性や色調に優れた積層体を得ることができる限り、特に制限されず、任意の方法を採用することができる。例えば、硬化性樹脂組成物と透光性微粒子とを含む塗料を用いて層αを形成する方法；互いに非相溶の２以上の硬化性樹脂の混合物を含む硬化性樹脂組成物を用い、層αを形成する際に、ウェット塗膜を乾燥する工程において、相分離を起こさせる方法；層αの未硬化塗膜に、微細な凹凸を有する型（例えば、表面に微細凹凸を形成したフィルムや表面に微細凹凸加工を施したエンボスロールなどをあげることができる。）を押圧する方法；表面に微細凹凸を形成したフィルムの上に、層α形成用の塗料を塗布硬化し、形成された層αを、上記表面に微細凹凸を形成したフィルムから剥離し、層βの上に転写する方法；及びこれらの２以上を組み合わせる方法；などをあげることができる。
【００２２】
上記層αに、光拡散機能の中でも、特に防眩性機能を付与する場合について更に説明する。層αに、防眩性機能を付与することにより、上述の効果に加えて、画像表示装置、特に高精細な画像表示装置の画像に見られるシンチレーション（ぎらつき）を低減することができる。
【００２３】
上記層αに、防眩性機能を付与する方法は、透明性に優れた積層体を得ることができる限り、好ましくは透明性や色調に優れた積層体を得ることができる限り、特に制限されず、任意の方法を採用することができる。具体的な方法については、防眩性機能の上位概念である光拡散機能の付与方法の説明において上述した。
【００２４】
上記硬化性樹脂組成物と透光性微粒子とを含む塗料を用いて層αを形成する方法について説明する。
【００２５】
上記硬化性樹脂組成物は、熱や活性エネルギー線により重合・硬化して、ハードコートを形成することが可能なものであり、透明性に優れていること、好ましくは透明性と色調に優れていること以外は、特に制限されず、任意の硬化性樹脂組成物を用いることができる。好ましい硬化性樹脂組成物としては、活性エネルギー線硬化性樹脂組成物をあげることができる。
【００２６】
上記活性エネルギー線硬化性樹脂組成物は、紫外線や電子線等の活性エネルギー線により重合・硬化して、ハードコートを形成することが可能なものであり、活性エネルギー線硬化性樹脂を、１分子中に２以上のイソシアネート基（−Ｎ＝Ｃ＝Ｏ）を有する化合物及び／又は光重合開始剤と共に含む組成物をあげることができる。
【００２７】
上記活性エネルギー線硬化性樹脂としては、例えば、ポリウレタン（メタ）アクリレート、ポリエステル（メタ）アクリレート、ポリアクリル（メタ）アクリレート、エポキシ（メタ）アクリレート、ポリアルキレングリコールポリ（メタ）アクリレート、及び、ポリエーテル（メタ）アクリレート等の（メタ）アクリロイル基含有プレポリマー又はオリゴマー；メチル（メタ）アクリレート、エチル（メタ）アクリレート、ｎ−ブチル（メタ）アクリレート、ヘキシル（メタ）アクリレート、２−エチルヘキシル（メタ）アクリレート、ラウリル（メタ）アクリレート、イソボルニル（メタ）アクリレート、ジシクロペンテニル（メタ）アクリレート、ジシクロペンテニロキシエチル（メタ）アクリレート、フェニル（メタ）アクリレート、フェニルセロソルブ（メタ）アクリレート、２−メトキシエチル（メタ）アクリレート、ヒドロキシエチル（メタ）アクリレート、ヒドロキシプロピル（メタ）アクリレート、２−アクリロイルオキシエチルハイドロゲンフタレート、ジメチルアミノエチル（メタ）アクリレート、トリフルオロエチル（メタ）アクリレート、及び、トリメチルシロキシエチルメタクリレート等の（メタ）アクリロイル基含有単官能反応性モノマー；Ｎ−ビニルピロリドン、スチレン等の単官能反応性モノマー；ジエチレングリコールジ（メタ）アクリレート、ネオペンチルグリコールジ（メタ）アクリレート、１，６−ヘキサンジオールジ（メタ）アクリレート、ポリエチレングリコールジ（メタ）アクリレート、２，２‘−ビス（４−（メタ）アクリロイルオキシポリエチレンオキシフェニル）プロパン、及び、２，２’−ビス（４−（メタ）アクリロイルオキシポリプロピレンオキシフェニル）プロパン等の（メタ）アクリロイル基含有２官能反応性モノマー；トリメチロールプロパントリ（メタ）アクリレート、トリメチロールエタントリ（メタ）アクリレート等の（メタ）アクリロイル基含有３官能反応性モノマー；ペンタエリスリトールテトラ（メタ）アクリレート等の（メタ）アクリロイル基含有４官能反応性モノマー；及び、ジペンタエリスリトールヘキサアクリレート等の（メタ）アクリロイル基含有６官能反応性モノマーなどから選択される１種以上を、あるいは上記１種以上を構成モノマーとする樹脂をあげることができる。なお本明細書において、（メタ）アクリレートとは、アクリレート又はメタクリレートの意味である。活性エネルギー線硬化性樹脂としては、これらの１種又は２種以上の混合物を用いることができる。
【００２８】
上記１分子中に２以上のイソシアネート基を有する化合物としては、例えば、メチレンビス−４−シクロヘキシルイソシアネート；トリレンジイソシアネートのトリメチロールプロパンアダクト体、ヘキサメチレンジイソシアネートのトリメチロールプロパンアダクト体、イソホロンジイソシアネートのトリメチロールプロパンアダクト体、トリレンジイソシアネートのイソシアヌレート体、ヘキサメチレンジイソシアネートのイソシアヌレート体、イソホロンジイソシアネートのイソシアヌレート体、ヘキサメチレンジイソシアネートのビウレット体等のポリイソシアネート；及び、上記ポリイソシアネートのブロック型イソシアネート等のウレタン架橋剤などをあげることができる。これらをそれぞれ単独で又は２種以上を組み合わせて用いることができる。また、架橋の際には、必要に応じてジブチルスズジラウレート、ジブチルスズジエチルヘキソエートなどの触媒を添加してもよい。
【００２９】
上記光重合開始剤としては、例えば、ベンゾフェノン、メチル−ｏ−ベンゾイルベンゾエート、４−メチルベンゾフェノン、４、４’−ビス（ジエチルアミノ）ベンゾフェノン、ｏ−ベンゾイル安息香酸メチル、４−フェニルベンゾフェノン、４−ベンゾイル−４′−メチルジフェニルサルファイド、３，３’，４，４’−テトラ（ｔｅｒｔ−ブチルパーオキシカルボニル）ベンゾフェノン、２，４，６−トリメチルベンゾフェノン等のベンゾフェノン系化合物；ベンゾイン、ベンゾインメチルエーテル、ベンゾインエチルエーテル、ベンゾインイソプロピルエーテル、ベンジルメチルケタール等のベンゾイン系化合物；アセトフェノン、２、２−ジメトキシ−２−フェニルアセトフェノン、１−ヒドロキシシクロヘキシルフェニルケトン等のアセトフェノン系化合物；メチルアントラキノン、２−エチルアントラキノン、２−アミルアントラキノン等のアントラキノン系化合物；チオキサントン、２、４−ジエチルチオキサントン、２、４−ジイソプロピルチオキサントン等のチオキサントン系化合物；アセトフェノンジメチルケタール等のアルキルフェノン系化合物；トリアジン系化合物；ビイミダゾール化合物；アシルフォスフィンオキサイド系化合物；チタノセン系化合物；オキシムエステル系化合物；オキシムフェニル酢酸エステル系化合物；ヒドロキシケトン系化合物；及び、アミノベンゾエート系化合物などをあげることができる。これらをそれぞれ単独で又は２種以上を組み合わせて用いることができる。
【００３０】
上記透光性微粒子としては、例えば、スチレン系樹脂、アクリル系樹脂、ポリカーボネート系樹脂、ポリエステル系樹脂、エチレン系樹脂、プロピレン系樹脂、含弗素系樹脂、及びアミノ系化合物とホルムアルデヒドとの硬化樹脂などの樹脂微粒子をあげることができる。透光性微粒子としては、これらの１種又は２種以上の混合物を用いることができる。
【００３１】
上記透光性微粒子の平均粒子径は、シンチレーション（ぎらつき）低減効果を得る観点から、通常０．１μｍ以上、好ましくは０．５μｍ以上である。また透明性の観点から、通常２０μｍ以下、好ましくは１０μｍ以下である。また平均粒子径の異なる２種以上の透光性微粒子を用いることも好ましい。
【００３２】
なお本明細書において、微粒子の平均粒子径は、日機装株式会社のレーザー回折・散乱式粒度分析計「ＭＴ３２００ＩＩ（商品名）」を使用して測定した粒子径分布曲線において、粒子の小さい方からの累積が５０質量％となる粒子径である。
【００３３】
上記透光性微粒子の配合量は、上記硬化性樹脂組成物１００質量部に対して、シンチレーション（ぎらつき）低減効果を得る観点から、通常１質量部以上、好ましくは３質量部以上である。また透明性の観点から、通常５０質量部以下、好ましくは３０質量部以下である。
【００３４】
上記透光性微粒子と上記硬化性樹脂組成物との屈折率の差は、シンチレーション（ぎらつき）低減効果を得る観点から、通常０．０１以上、好ましくは０．０５以上である。また所謂白ボケを防止し、画像のコントラストを良好に保つ観点から、通常０．５以下、好ましくは０．３以下である。
【００３５】
なお本明細書において、上記透光性微粒子の屈折率は、温度２０℃において、有機溶媒透明分散液を調整し、ナトリウムＤ線（波長５８９．３ｎｍ）の屈折率を測定した測定値を、透光性微粒子と溶媒の比重から計算して、透光性微粒子１００体積％に外挿して算出した値である。また上記硬化性樹脂組成物の屈折率は、測定サンプルとして硬化性樹脂組成物のみからなる硬化塗膜を作成し、温度２０℃において、ナトリウムＤ線（波長５８９．３ｎｍ）を使用し、ＪＩＳ Ｋ ７１４２：２００８のＡ法に従い測定した値である。
【００３６】
また上記硬化性樹脂組成物と上記透光性微粒子とを含む塗料には、所望に応じて、帯電防止剤、界面活性剤、レベリング剤、チクソ性付与剤、汚染防止剤、印刷性改良剤、酸化防止剤、耐候性安定剤、耐光性安定剤、紫外線吸収剤、熱安定剤、着色剤、及びフィラー（透光性微粒子を除く。）などの添加剤を１種、又は２種以上含んでいてもよい。
【００３７】
また上記硬化性樹脂組成物と上記透光性微粒子とを含む塗料には、塗工し易い濃度に希釈するため、所望に応じて溶剤を含んでいてもよい。溶剤は塗料の成分と反応したり、これらの成分の自己反応（劣化反応を含む）を触媒（促進）したりしないものであれば、特に制限されない。例えば、１−メトキシ−２−プロパノール、酢酸エチル、酢酸ｎブチル、トルエン、メチルエチルケトン、メチルイソブチルケトン、ダイアセトンアルコール、及びアセトンなどをあげることができる。
【００３８】
上記硬化性樹脂組成物と上記透光性微粒子とを含む塗料は、これらの成分を混合、攪拌することにより得られる。
【００３９】
上記硬化性樹脂組成物と上記透光性微粒子とを含む塗料を用いて、上記防眩性機能を有する層αを形成する方法は特に制限されず、公知のウェブ塗布方法を使用することができる。具体的には、ロールコート、グラビアコート、リバースコート、ロールブラッシュ、スプレーコート、エアナイフコート、及びダイコートなどの方法をあげることができる。
【００４０】
上記層αに、防眩性機能を付与する場合の、層αの厚みは、特に制限されないが、通常０．１〜１００μｍ、好ましくは１〜２０μｍであってよい。
【００４１】
反射防止機能
上記層αに反射防止機能を付与する場合について説明する。層αに、反射防止機能を付与することにより、画像表示装置、特に高精細な画像表示装置への外光の映り込みによる視認性の低下を抑制することができる。
【００４２】
上記層αに、反射防止機能を付与する方法は、透明性に優れた積層体を得ることができる限り、好ましくは透明性や色調に優れた積層体を得ることができる限り、特に制限されず、任意の方法を採用することができる。例えば、上記層βの上に高屈折率層（屈折率１．５４〜２．４０程度の相対的に屈折率の高い層）と低屈折率層（屈折率１．３３〜１．５０程度の相対的に屈折率の低い層）の複数層を形成する方法；上記層βの上に低屈折率層を形成する方法；などをあげることができる。
【００４３】
なおポリ（メタ）アクリルイミド系樹脂フィルムの屈折率は、例えば、下記Ａ−１は１．５４であり、上記層βを高屈折率層として反射防止機能が発現するようにしてもよい。
【００４４】
ここで屈折率は、温度２０℃において、ナトリウムＤ線（波長５８９．３ｎｍ）を使用し、ＪＩＳ Ｋ ７１４２：２００８のＡ法に従い測定した値である。
【００４５】
上記層βの上に高屈折率層と低屈折率層の複数層を形成する方法について説明する。
【００４６】
上記高屈折率層は、特に制限されず、公知の高屈折率層を適宜形成することができる。例えば、硬化性樹脂組成物と金属酸化物微粒子とを含む塗料を用いて形成することができる。
【００４７】
上記硬化性樹脂組成物については、上記層αに防眩性機能を付与する場合の説明において上述した。
【００４８】
上記金属酸化物微粒子としては、例えば、アンチモン酸亜鉛（酸化亜鉛と五酸化二アンチモンとの複合金属酸化物）、アンチモンドープ酸化錫（少量の酸化アンチモンを含有する酸化錫）、錫ドープ酸化インジウム（少量の錫や酸化錫を含有する酸化インジウム）、酸化亜鉛、酸化チタン、酸化セリウム、酸化アルミニウム、酸化タンタル、酸化イットリウム、酸化イッテルビウム、及び酸化ジルコニウムなどの微粒子をあげることができる。金属酸化物微粒子としては、これらの１種又は２種以上の混合物を用いることができる。
【００４９】
なおアンチモン酸亜鉛、アンチモンドープ酸化錫、及び錫ドープ酸化インジウムなどは高い導電性を有するため、これらを上記金属酸化物微粒子として用いる場合には、帯電防止機能も付与することができる。
【００５０】
上記金属酸化物微粒子の平均粒子径は、高屈折率を安定的に発現させる観点から、通常１ｎｍ以上、好ましくは５ｎｍ以上、より好ましくは１０ｎｍ以上である。また透明性の観点から、通常３００ｎｍ以下、好ましくは２００ｎｍ以下、より好ましくは１００ｎｍ以下である。平均粒子径の測定方法については上述した。
【００５１】
上記金属酸化物微粒子の配合量は、上記硬化性樹脂組成物１００質量部に対して、用いる金属酸化物微粒子の比重にもよるが、高屈折率を安定的に発現させる観点から、通常５０質量部以上、好ましくは１００質量部以上である。また透明性の観点から、通常６００質量部以下、好ましくは５００質量部以下である。
【００５２】
また上記高屈折率層を形成するための上記硬化性樹脂組成物と上記金属酸化物微粒子とを含む塗料には、所望に応じて、帯電防止剤、界面活性剤、レベリング剤、チクソ性付与剤、汚染防止剤、印刷性改良剤、酸化防止剤、耐候性安定剤、耐光性安定剤、紫外線吸収剤、熱安定剤、着色剤、及びフィラー（金属酸化物微粒子を除く。）などの添加剤を１種、又は２種以上含んでいてもよい。
【００５３】
また上記高屈折率層を形成するための上記硬化性樹脂組成物と上記金属酸化物微粒子とを含む塗料には、塗工し易い濃度に希釈するため、所望に応じて溶剤を含んでいてもよい。溶剤は塗料の成分と反応したり、これらの成分の自己反応（劣化反応を含む）を触媒（促進）したりしないものであれば、特に制限されない。例えば、１−メトキシ−２−プロパノール、酢酸エチル、酢酸ｎブチル、トルエン、メチルエチルケトン、メチルイソブチルケトン、ダイアセトンアルコール、及びアセトンなどをあげることができる。
【００５４】
上記高屈折率層を形成するための上記硬化性樹脂組成物と上記金属酸化物微粒子とを含む塗料は、これらの成分を混合、攪拌することにより得られる。
【００５５】
上記硬化性樹脂組成物と上記金属酸化物微粒子とを含む塗料を用いて、上記高屈折率層を形成する方法は特に制限されず、公知のウェブ塗布方法を使用することができる。具体的には、ロールコート、グラビアコート、リバースコート、ロールブラッシュ、スプレーコート、エアナイフコート、及びダイコートなどの方法をあげることができる。
【００５６】
上記高屈折率層の厚みは、特に制限されないが、通常１〜１０００ｎｍ、好ましくは３０〜５００ｎｍ、より好ましくは５０〜２５０ｎｍであってよい。
【００５７】
上記低屈折率層は、特に制限されず、公知の低屈折率層を適宜形成することができる。例えば、硬化性樹脂組成物と低屈折率微粒子とを含む塗料を用いて形成することができる。
【００５８】
上記硬化性樹脂組成物については、上記層αに防眩性機能を付与する場合の説明において上述した。
【００５９】
上記低屈折率微粒子としては、例えば、ポリシロキサン、含弗素系樹脂、コロイダルシリカ、中空シリカ、及び弗化マグネシウムなどの微粒子をあげることができる。低屈折率微粒子としては、これらの１種又は２種以上の混合物を用いることができる。
【００６０】
上記低屈折率微粒子の平均粒子径は、低屈折率を安定的に発現させる観点から、通常１ｎｍ以上、好ましくは５ｎｍ以上、より好ましくは１０ｎｍ以上である。また透明性の観点から、通常３００ｎｍ以下、好ましくは２００ｎｍ以下、より好ましくは１００ｎｍ以下である。平均粒子径の測定方法については上述した。
【００６１】
上記低屈折率微粒子の配合量は、上記硬化性樹脂組成物１００質量部に対して、用いる低屈折率微粒子の比重にもよるが、低屈折率を安定的に発現させる観点から、通常１０質量部以上、好ましくは２０質量部以上である。また透明性の観点から、通常２００質量部以下、好ましくは１５０質量部以下である。
【００６２】
また上記低屈折率層を形成するための上記硬化性樹脂組成物と上記低屈折率微粒子とを含む塗料には、所望に応じて、帯電防止剤、界面活性剤、レベリング剤、チクソ性付与剤、汚染防止剤、印刷性改良剤、酸化防止剤、耐候性安定剤、耐光性安定剤、紫外線吸収剤、熱安定剤、着色剤、及びフィラー（低屈折率微粒子を除く。）などの添加剤を１種、又は２種以上含んでいてもよい。
【００６３】
また上記低屈折率層を形成するための上記硬化性樹脂組成物と上記低屈折率微粒子とを含む塗料には、塗工し易い濃度に希釈するため、所望に応じて溶剤を含んでいてもよい。溶剤は塗料の成分と反応したり、これらの成分の自己反応（劣化反応を含む）を触媒（促進）したりしないものであれば、特に制限されない。例えば、１−メトキシ−２−プロパノール、酢酸エチル、酢酸ｎブチル、トルエン、メチルエチルケトン、メチルイソブチルケトン、ダイアセトンアルコール、及びアセトンなどをあげることができる。
【００６４】
上記低屈折率層を形成するための上記硬化性樹脂組成物と上記低屈折率微粒子とを含む塗料は、これらの成分を混合、攪拌することにより得られる。
【００６５】
上記硬化性樹脂組成物と上記屈折率微粒子とを含む塗料を用いて、上記低屈折率層を形成する方法は特に制限されず、公知のウェブ塗布方法を使用することができる。具体的には、ロールコート、グラビアコート、リバースコート、ロールブラッシュ、スプレーコート、エアナイフコート、及びダイコートなどの方法をあげることができる。
【００６６】
上記低屈折率層の厚みは、特に制限されないが、通常１〜１０００ｎｍ、好ましくは３０〜５００ｎｍ、より好ましくは５０〜２５０ｎｍであってよい。
【００６７】
耐汚染性機能
上記層αに耐汚染性機能を付与する場合について説明する。層αに耐汚染性機能を付与することにより、例えば、油性ペン、水性ペン、コーヒー、紅茶、スキンクリーム、及び指紋（皮脂）などの汚れを付着し難く、拭取りを容易にすることができる。なお本明細書において、「耐汚染性」の用語は、防汚性、耐指紋性などを含む用語として使用する。
【００６８】
上記層αに耐汚染性機能を付与する方法は、透明性に優れた積層体を得ることができる限り、好ましくは透明性や色調に優れた積層体を得ることができる限り、特に制限されず、任意の方法を採用することができる。例えば、含弗素化合物、重合性官能基含有含弗素化合物、ポリエーテル、ポリエーテル（メタ）アクリレート、シリカ微粒子、及び脂肪分解酵素などの公知の耐汚染性向上剤の１種又は２種以上の混合物を含む硬化性樹脂組成物を用いて層αを形成する方法；任意のフィルム基材上に、上記耐汚染性向上剤を含む硬化性樹脂組成物を用いて層αを形成し、形成された層αを、上記フィルム基材から剥離し、層βの上に転写する方法；などをあげることができる。  
【００６９】
防曇性機能
上記層αに防曇性機能を付与する場合について説明する。層αに防曇性機能を付与することにより、浴室等の高湿度な環境においても、画像表示装置の表面に湯気が付着して、あるいは水蒸気が画像表示装置の表面において凝結して曇りを生じることなく、画像表示装置を使用することができる。
【００７０】
上記層αに防曇性機能を付与する方法は、透明性に優れた積層体を得ることができる限り、好ましくは透明性や色調に優れた積層体を得ることができる限り、特に制限されず、任意の方法を採用することができる。例えば、水酸基、カルボキシル基、スルホニル酸基、及びアミノ基などの親水性官能基を有する重合性モノマー、及びこれらの１種以上からなる重合体；ポリビニルアルコール、ポリエチレングリコール、及びポリビニルアセタールなどのポリエーテルポリオール系樹脂；アンモニウム塩、グリセリン酸エステル類等の界面活性剤；などの１種又は２種以上の混合物を含む防曇性機能層形成用材料を用いて層αを形成する方法などをあげることができる。また任意のフィルム基材上に、上記防曇性機能層形成用材料を用いて層αを形成し、形成された層αを、上記フィルム基材から剥離し、層βの上に転写してもよい。
【００７１】
抗菌性機能
上記層αに抗菌性機能を付与する場合について説明する。層αに抗菌性機能を付与することにより、病院、老人ホ―ム、及び保育園などの細菌感染症対策の必要な施設において、画像表示装置、特にタッチパネルを共同使用することによる感染症リスクを低減することができる。
【００７２】
上記層αに抗菌性機能を付与する方法は、透明性に優れた積層体を得ることができる限り、好ましくは透明性や色調に優れた積層体を得ることができる限り、特に制限されず、任意の方法を採用することができる。例えば、金、銀、銅、亜鉛、白金、アンチモン、ニッケル、アルミニウム、及びマンガン等の１種以上の金属イオンや、これら金属イオンを配位してなる金属錯体を、ゼオライト、シリカゲル、粘土鉱物、及び酸化チタン等の担体に担持させた抗菌剤；及びフェノール系抗菌剤などの公知の抗菌剤の１種又は２種以上の混合物を含む硬化性樹脂組成物を用いて層αを形成する方法などをあげることができる。また任意のフィルム基材上に、上記抗菌剤を含む硬化性樹脂組成物を用いて層αを形成し、形成された層αを、上記フィルム基材から剥離し、層βの上に転写してもよい。
【００７３】
熱伝導性機能
上記層αに熱伝導性機能を付与する場合について説明する。層αに熱伝導性機能を付与することにより、熱による画像表示装置の誤作動等を抑制することができる。なお本明細書において、「熱伝導性」の用語は放熱性、伝熱性などを含む用語として使用する。
【００７４】
上記層αに、熱伝導性機能を付与する方法は、透明性に優れた積層体を得ることができる限り、好ましくは透明性や色調に優れた積層体を得ることができる限り、特に制限されず、任意の方法を採用することができる。例えば、銀、銅、金、アルミニウム、タングステン、及びマグネシウムなどの良熱伝導性金属の極細線；カーボンナノチューブ、グラフェン、アセチレンブラック及びケッチェンブラックなどの熱伝導性カーボン；などの熱伝導性フィラーの１種又は２種以上の混合物を含む硬化性樹脂組成物を用いて層αを形成する方法などをあげることができる。また任意のフィルム基材上に、上記熱伝導性フィラーを含む硬化性樹脂組成物を用いて層αを形成し、形成された層αを、上記フィルム基材から剥離し、層βの上に転写してもよい。 
【００７５】
帯電防止機能
上記層αに帯電防止機能を付与する場合について説明する。上記層αに、帯電防止機能を付与することにより、静電気による画像表示装置の誤作動等を抑制することができる。
【００７６】
上記層αに、帯電防止機能を付与する方法は、透明性に優れた積層体を得ることができる限り、好ましくは透明性や色調に優れた積層体を得ることができる限り、特に制限されず、任意の方法を採用することができる。例えば、銀、銅、金、アルミニウム、マグネシウム、タングステン、コバルト、亜鉛、及びニッケルなどの良導電性金属の極細線；カーボンナノチューブ、グラフェン、アセチレンブラック及びケッチェンブラックなどの導電性カーボン；などの導電性フィラーの１種又は２種以上の混合物を含む硬化性樹脂組成物を用いて層αを形成する方法などをあげることができる。また任意のフィルム基材上に、上記導電性フィラーを含む硬化性樹脂組成物を用いて層αを形成し、形成された層αを、上記フィルム基材から剥離し、層βの上に転写してもよい。
【００７７】
（β）ポリ（メタ）アクリルイミド系樹脂フィルム層
本発明の積層体は、（β）ポリ（メタ）アクリルイミド系樹脂フィルム層を有する。層βはポリ（メタ）アクリルイミド系樹脂フィルムからなる層である。透明樹脂フィルム基材としてポリ（メタ）アクリルイミド系樹脂フィルムを用いることにより、透明性、剛性、耐熱性、及び寸法安定性に優れ、色調も良好な積層体になる。なお本明細書において、ポリ（メタ）アクリルイミドとは、ポリアクリルイミド又はポリメタクリルイミドの意味である。
【００７８】
上記層βとして用いるポリ（メタ）アクリルイミド系樹脂フィルムは、全光線透過率（ＪＩＳ Ｋ ７３６１−１：１９９７に従い、日本電色工業株式会社の濁度計「ＮＤＨ２０００（商品名）」を用いて測定。）が、好ましくは８５％以上、より好ましくは９０％以上、更に好ましくは９２％以上である。全光線透過率は高いほど好ましい。
【００７９】
また上記層βとして用いるポリ（メタ）アクリルイミド系樹脂フィルムは、ヘーズ（ＪＩＳ Ｋ ７１３６：２０００に従い、日本電色工業株式会社の濁度計「ＮＤＨ２０００（商品名）」を用いて測定。）が、好ましくは３．０％以下、より好ましくは２．０％以下、更に好ましくは１．５％以下である。ヘーズは低いほど好ましい。
【００８０】
更に上記層βとして用いるポリ（メタ）アクリルイミド系樹脂フィルムは、黄色度指数（ＪＩＳ Ｋ ７１０５：１９８１に従い、島津製作所社製の色度計「ＳｏｌｉｄＳｐｅｃ−３７００（商品名）」を用いて測定。）が、好ましくは３以下、より好ましくは２以下、更に好ましくは１以下である。黄色度指数は低いほど好ましい。
【００８１】
上記ポリ（メタ）アクリルイミド系樹脂フィルムを得るために用いるポリ（メタ）アクリルイミド系樹脂は、透明性や色調に優れたフィルムを得ることができる限り、特に制限されず、任意のポリ（メタ）アクリルイミド系樹脂を用いることができる。好ましいポリ（メタ）アクリルイミド系樹脂としては、黄色度指数（ＪＩＳ Ｋ ７１０５：１９８１に従い測定）が、３以下のものをあげることができる。黄色度指数は、より好ましくは２以下であり、更に好ましくは１以下である。また押出負荷や溶融フィルムの安定性の観点から、好ましいポリ（メタ）アクリルイミド系樹脂としてメルトマスフローレート（ＩＳＯ１１３３に従い、２６０℃、９８．０７Ｎの条件で測定。）が０．１〜２０ｇ／１０分のものをあげることができる。メルトマスフローレートは０．５〜１０ｇ／１０分がより好ましい。更にポリ（メタ）アクリルイミド系樹脂のガラス転移温度は、耐熱性の観点から、１５０℃以上のものが好ましい。より好ましくは１７０℃以上である。
【００８２】
ポリ（メタ）アクリルイミド系樹脂の市販例としては、エボニック社の「ＡＣＲＹＭＩＤ ＴＴ７０（商品名）」などをあげることができる。
【００８３】
また上記ポリ（メタ）アクリルイミド系樹脂には、本発明の目的に反しない限度において、所望により、ポリ（メタ）アクリルイミド系樹脂以外の熱可塑性樹脂；顔料、無機フィラー、有機フィラー、樹脂フィラー；滑剤、酸化防止剤、耐候性安定剤、熱安定剤、離型剤、帯電防止剤、及び界面活性剤等の添加剤；などを更に含ませることができる。これらの任意成分の配合量は、通常、ポリ（メタ）アクリルイミド系樹脂を１００質量部としたとき、０．０１〜１０質量部程度である。
【００８４】
また本発明の積層体に用いるポリ（メタ）アクリルイミド系樹脂フィルムは、ポリ（メタ）アクリルイミド系樹脂の単層フィルムに限定されない。２以上のポリ（メタ）アクリルイミド系樹脂の単層フィルムの積層フィルムを用いてもよい。任意の他の樹脂フィルムとの多層積層フィルムを用いてもよい。
【００８５】
上記多層積層フィルムの好ましいものとしては、例えば、第一ポリ（メタ）アクリルイミド系樹脂層；芳香族ポリカーボネート系樹脂層；第二ポリ（メタ）アクリルイミド系樹脂層；が、この順に直接積層されたポリ（メタ）アクリルイミド系樹脂多層積層フィルムをあげることができる。ポリ（メタ）アクリルイミド系樹脂は表面硬度に優れているが、高い耐打抜加工性は有しないのに対し、芳香族ポリカーボネート系樹脂は耐打抜加工性に優れているが、高い表面硬度は有しない。そこで上記の層構成にすることにより、両者の長所を併せて、表面硬度と耐打抜加工性の何れにも優れた多層積層フィルムとなる。
【００８６】
上記第一ポリ（メタ）アクリルイミド系樹脂層の層厚みは、特に制限されないが、表面硬度を高く保つ観点から、通常２０μｍ以上、好ましくは４０μｍ以上、より好ましくは６０μｍ以上であってよい。上記第二ポリ（メタ）アクリルイミド系樹脂層の層厚みは、特に制限されないが、耐カール性の観点から、第一ポリ（メタ）アクリルイミド系樹脂層と同じ層厚みであることが好ましい。上記芳香族ポリカーボネート系樹脂層の層厚みは、特に制限されないが、耐打抜加工性の観点から、通常２０μｍ以上、好ましくは８０μｍ以上、より好ましくは１２０μｍ以上であってよい。
【００８７】
なおここで「同じ層厚み」とは、物理化学的に厳密な意味で同じ層厚みと解釈されるべきではない。工業的に通常行われる工程・品質管理の振れ幅の範囲内において同じ層厚みと解釈されるべきである。工業的に通常行われる工程・品質管理の振れ幅の範囲内において同じ層厚みであれば、多層積層フィルムの耐カール性を良好に保つことができるからである。Ｔダイ共押出法による無延伸多層フィルムの場合には、通常−５〜＋５μｍ程度の幅で工程・品質管理されるものであるから、層厚み６５μｍと同７５μｍとは同一と解釈されるべきである。
【００８８】
上記第一ポリ（メタ）アクリルイミド系樹脂層に用いるポリ（メタ）アクリルイミド系樹脂と、上記第二ポリ（メタ）アクリルイミド系樹脂層に用いるポリ（メタ）アクリルイミド系樹脂とは、異なる樹脂特性のもの、例えばメルトマスフローレートやガラス転移温度の異なるポリ（メタ）アクリルイミド系樹脂を用いても良いが、多層積層フィルムの耐カール性の観点から、同じ樹脂特性のものを用いることが好ましい。例えば、同一グレードの同一ロットを用いるのは、好ましい実施態様の一つである。
【００８９】
上記芳香族ポリカーボネート系樹脂層に用いる芳香族ポリカーボネート系樹脂としては、例えば、ビスフェノールＡ、１，１−ビス（４−ヒドロキシフェニル）−３，３，５−トリメチルシクロヘキサンなどの芳香族ジヒドロキシ化合物とホスゲンとの界面重合法によって得られる重合体；ビスフェノールＡ、１，１−ビス（４−ヒドロキシフェニル）−３，３，５−トリメチルシクロヘキサンなどの芳香族ジヒドロキシ化合物とジフェニルカーボネートなどの炭酸ジエステルとのエステル交換反応により得られる重合体；などの芳香族ポリカーボネート系樹脂の１種又は２種以上の混合物を用いることができる。
【００９０】
上記芳香族ポリカーボネート系樹脂に含み得る好ましい任意成分としては、コアシェルゴムをあげることができる。芳香族ポリカーボネート系樹脂とコアシェルゴムとの合計を１００質量部としたとき、コアシェルゴムを０〜３０質量部（芳香族ポリカーボネート系樹脂１００〜７０質量部）、好ましくは０〜１０質量部（芳香族ポリカーボネート系樹脂１００〜９０質量部）の量で用いることにより、芳香族ポリカーボネート系樹脂層の耐衝撃性をより高めることができる。
【００９１】
上記コアシェルゴムとしては、例えば、メタクリル酸エステル・スチレン／ブタジエンゴムグラフト共重合体、アクリロニトリル・スチレン／ブタジエンゴムグラフト共重合体、アクリロニトリル・スチレン／エチレン・プロピレンゴムグラフト共重合体、アクリロニトリル・スチレン／アクリル酸エステルグラフト共重合体、メタクリル酸エステル／アクリル酸エステルゴムグラフト共重合体、メタクリル酸エステル・アクリロニトリル／アクリル酸エステルゴムグラフト共重合体などのコアシェルゴムの１種又は２種以上の混合物をあげることができる。
【００９２】
また上記芳香族ポリカーボネート系樹脂には、本発明の目的に反しない限度において、所望により、芳香族ポリカーボネート系樹脂やコアシェルゴム以外の熱可塑性樹脂；顔料、無機フィラー、有機フィラー、樹脂フィラー；滑剤、酸化防止剤、耐候性安定剤、熱安定剤、離型剤、帯電防止剤、及び界面活性剤等の添加剤；などを更に含ませることができる。これらの任意成分の配合量は、通常、芳香族ポリカーボネート系樹脂とコアシェルゴムとの合計を１００質量部としたとき、０．０１〜１０質量部程度である。
【００９３】
上記ポリ（メタ）アクリルイミド系樹脂を用いて上記ポリ（メタ）アクリルイミド系樹脂フィルムを製膜する方法は、透明性や色調に優れたフィルムを得ることができる限り、特に制限されない。好ましい製膜方法としては、例えば、
（Ａ）押出機とＴダイとを備える装置を用い、Ｔダイから、ポリ（メタ）アクリルイミド系樹脂の溶融フィルムを、連続的に押出す工程；
（Ｂ）回転する又は循環する第一の鏡面体と、回転する又は循環する第二の鏡面体との間に、上記ポリ（メタ）アクリルイミド系樹脂の溶融フィルムを供給投入し、押圧する工程；
を含む方法をあげることができる。
【００９４】
上記ポリ（メタ）アクリルイミド系樹脂フィルムが、上記ポリ（メタ）アクリルイミド系樹脂多層積層フィルムである場合の好ましい製膜方法としては、例えば、
（Ａ’）押出機とＴダイとを備える共押出装置を用い、第一ポリ（メタ）アクリルイミド系樹脂層；芳香族ポリカーボネート系樹脂層；第二ポリ（メタ）アクリルイミド系樹脂層；が、この順に直接積層された溶融フィルムを、Ｔダイから連続的に共押出する工程；
（Ｂ’）回転する又は循環する第一の鏡面体と、回転する又は循環する第二の鏡面体との間に、上記ポリ（メタ）アクリルイミド系樹脂多層積層フィルムの溶融フィルムを供給投入し、押圧する工程；
を含む方法をあげることができる。
【００９５】
上記押出機としては、任意のものを使用することができ、例えば単軸押出機、同方向回転二軸押出機、及び、異方向回転二軸押出機などをあげることができる。
【００９６】
上記共押出装置としては、制限されず任意のものを使用することができ、例えば、フィードブロック方式、マルチマニホールド方式、及びスタックプレート方式などの共押出装置をあげることができる。
【００９７】
またポリ（メタ）アクリルイミド系樹脂や芳香族ポリカーボネート系樹脂の劣化を抑制するため、押出機内を窒素パージすることも好ましい。
【００９８】
更にポリ（メタ）アクリルイミド系樹脂や芳香族ポリカーボネート系樹脂は吸湿性の高い樹脂であるため、製膜に供する前に、これを乾燥することが好ましい。また乾燥機で乾燥したポリ（メタ）アクリルイミド系樹脂や芳香族ポリカーボネート系樹脂を、乾燥機から押出機に直接輸送し、投入することも好ましい。乾燥機の設定温度は、好ましくは１００〜１５０℃である。
【００９９】
上記Ｔダイとしては、任意のものを使用することが出来、例えばマニホールドダイ、フィッシュテールダイ、及び、コートハンガーダイなどをあげることができる。
【０１００】
Ｔダイの温度は、ポリ（メタ）アクリルイミド系樹脂の溶融フィルムを、連続的に押出す工程を安定的に行うために、少なくとも２６０℃以上に設定することが好ましい。より好ましくは２７０℃以上である。またポリ（メタ）アクリルイミド系樹脂の劣化を抑制するため、Ｔダイの温度は、３５０℃以下に設定することが好ましい。
【０１０１】
またリップ開度（Ｒ）と得られるポリ（メタ）アクリルイミド系樹脂フィルムの厚み（T）との比（Ｒ／Ｔ）は、レタデーションが大きくならないようにする観点から、５以下が好ましく、２．５以下がより好ましい。また比（Ｒ／Ｔ）は、押出負荷が過大にならないようにする観点から、１以上が好ましく、１．１以上がより好ましい。
【０１０２】
上記第一の鏡面体としては、例えば、鏡面ロール、鏡面ベルトなどをあげることができる。上記第二の鏡面体としては、例えば、鏡面ロール、鏡面ベルトなどをあげることができる。
【０１０３】
上記鏡面ロールは、その表面が鏡面加工されたロールであり、金属製、セラミック製、シリコンゴム製などがある。また鏡面ロールの表面については、腐食や傷付きからの保護を目的としてクロームメッキや鉄−リン合金メッキ、ＰＶＤ法やＣＶＤ法による硬質カーボン処理などを施すことができる。
【０１０４】
上記鏡面ベルトは、その表面が鏡面加工された、通常は金属製のシームレスのベルトであり、例えば、一対のベルトローラー相互間に掛け巡らされて、循環するようにされている。また鏡面ベルトの表面については、腐食や傷付きからの保護を目的としてクロームメッキや鉄−リン合金メッキ、ＰＶＤ法やＣＶＤ法による硬質カーボン処理などを施すことができる。
【０１０５】
上記鏡面加工は、限定されず、任意の方法で行うことができる。例えば、微細な砥粒を用いて研磨することにより、上記鏡面体の表面の算術平均粗さ（Ｒａ）を好ましくは１００ｎｍ以下、より好ましくは５０ｎｍ以下、十点平均粗さ（Ｒｚ）を好ましくは５００ｎｍ以下、より好ましくは２５０ｎｍ以下にする方法をあげることができる。
【０１０６】
理論に拘束される意図はないが、上記の製膜方法で外観や光学特性の良好なポリ（メタ）アクリルイミド系樹脂フィルムが得られるのは、第一鏡面体と第二鏡面体とで、ポリ（メタ）アクリルイミド系樹脂の溶融フィルムが押圧されることにより、第一鏡面体及び第二鏡面体の高度に平滑な面状態がフィルムに転写され、ダイスジ等の不良箇所が修正されるためと考察できる。
【０１０７】
上記面状態の転写が良好に行われるようにするため、第一鏡面体の表面温度は、好ましくは１００℃以上、より好ましくは１２０℃以上、さらに好ましくは１４０℃以上である。一方、フィルムに第一鏡面体との剥離に伴う外観不良（剥離痕）の現れることを防止するため、第一鏡面体の表面温度は好ましくは２００℃以下、より好ましくは１６０℃以下である。
【０１０８】
上記面状態の転写が良好に行われるようにするため、第二鏡面体の表面温度は、好ましくは５℃以上、より好ましくは２０℃以上、更に好ましくは６０℃以上、最も好ましくは１００℃以上である。一方、フィルムに第二鏡面体との剥離に伴う外観不良（剥離痕）の現れることを防止するため、第二鏡面体の表面温度は好ましくは２００℃以下、より好ましくは１６０℃以下である。
【０１０９】
なお第一鏡面体の表面温度を第二鏡面体の表面温度よりも高くすることが好ましい。これはフィルムを第一鏡面体に抱かせて次の移送ロールへと送り出すためである。
【０１１０】
上記層βとして用いるポリ（メタ）アクリルイミド系樹脂フィルムの厚みは、特に制限されず、所望により任意の厚みにすることができる。ウェブハンドリング性の観点から、通常２０μｍ以上、好ましくは５０μｍ以上であってよい。また高い剛性を必要としない用途では、経済性の観点から、通常２５０μｍ以下、好ましくは１５０μｍ以下であってよい。本発明の積層体をディスプレイ面板として用いる場合には、剛性を保持する観点から、通常１００μｍ以上、好ましくは２００μｍ以上、より好ましくは３００μｍ以上であってよい。またタッチパネルの薄型化の要求に応える観点から、通常１５００μｍ以下、好ましくは１２００μｍ以下、より好ましくは１０００μｍ以下であってよい。
【０１１１】
上記層βとして用いるポリ（メタ）アクリルイミド系樹脂フィルムの、少なくとも上記（α）機能層との積層面側には、層αと層βとの接着強度を高めるため、層αを層βの上に形成する前に、コロナ放電処理を施すことが好ましい。コロナ放電処理に替えてアンカーコートを形成することも好ましい。コロナ放電処理を施した後、更にアンカーコートを形成することも好ましい。
【０１１２】
コロナ放電処理は、絶縁された電極と誘電体ロールとの間にフィルムを通し、高周波高電圧を印加してコロナ放電を発生させ、フィルム表面を処理するというものである。このコロナ放電により酸素などがイオン化し、フィルム表面に衝突することにより、フィルム表面において、樹脂分子鎖の切断や樹脂分子鎖への含酸素官能基付加が起こり、上記層αやアンカーコートとの接着強度を向上させることができる。
【０１１３】
上記コロナ放電処理の単位面積、単位時間当たりの処理量（Ｓ）が、上記層αやアンカーコートとの接着強度を向上させるために十分であるか否かは、濡れ指数（ＪＩＳＫ６７６８：１９９９に従い測定）によりスクリーニングすることができる。十分な接着強度を期待できる濡れ指数は、通常５０ｍＮ／ｍ以上、好ましくは６０ｍＮ／ｍ以上である。上記濡れ指数を得るのに必要な処理量（Ｓ）は、通常８０Ｗ・ｍｉｎ／ｍ２以上、好ましくは１２０Ｗ・ｍｉｎ／ｍ２以上である。
【０１１４】
またフィルムの劣化を防止する観点から、処理量（Ｓ）は５００Ｗ・ｍｉｎ／ｍ２以下に抑えることが好ましい。より好ましくは４００Ｗ・ｍｉｎ／ｍ２以下である。
【０１１５】
なお処理量（Ｓ）は次式で定義される。
Ｓ＝Ｐ／（Ｌ・Ｖ）
ここでＳ：処理量（Ｗ・ｍｉｎ／ｍ２）；Ｐ：放電電力（Ｗ）；Ｌ：放電電極の長さ（ｍ）；Ｖ：ライン速度（ｍ／ｍｉｎ）；である。
【０１１６】
上記アンカーコートを形成するためのアンカーコート剤としては、本発明の積層体を画像表示装置部材として用いる目的から、高い透明性を有し、着色のないものであること以外は制限されず、例えば、ポリエステル、アクリル、ポリウレタン、アクリルウレタン、及びポリエステルウレタンなどの公知のものを用いることができる。中でも上記層αとの接着強度向上の観点から、熱可塑性ウレタン系アンカーコート剤が好ましい。
【０１１７】
また上記アンカーコート剤としては、シランカップリング剤を含む塗料を用いることもできる。シランカップリング剤は、加水分解性基（例えば、メトキシ基、エトキシ基等のアルコキシ基；アセトキシ基等のアシルオキシ基；クロロ基等のハロゲン基；など）、及び有機官能基（例えば、アミノ基、ビニル基、エポキシ基、メタクリロキシ基、アクリロキシ基、イソシアネート基など）の少なくとも２種類の異なる反応性基を有するシラン化合物である。中でも上記層αとの接着強度向上の観点から、アミノ基を有するシランカップリング剤が好ましい。
【０１１８】
上記シランカップリング剤を含む塗料は、シランカップリング剤を主として（固形分として５０質量％以上）含む塗料である。好ましくは上記塗料の固形分の７５質量％以上がシランカップリング剤である。より好ましくは９０質量％以上である。
【０１１９】
なお上記アミノ基を有するシランカップリング剤を含む塗料には、アミノ基を有しないシランカップリング剤、例えば、ビニル系シランカップリング剤、エポキシ系シランカップリング剤、メタクリロキシ系シランカップリング剤、アクリロキシ系シランカップリング剤、メルカプト系シランカップリング剤、イソシアネート系シランカップリング剤、ウレイド系シランカップリング剤などは、少量（通常固形分として５０質量％未満、好ましくは２５質量％未満。）であれば、含んでいてもよい。
【０１２０】
アミノ基を有するシランカップリング剤としては、例えば、Ｎ−２−（アミノエチル）−３−アミノプロピルメチルジメトキシシラン、Ｎ−２−（アミノエチル）−３−アミノプロピルトリメトキシシラン、Ｎ−２−（アミノエチル）−３−アミノプロピルトリエトキシシラン、３−アミノプロピルトリメトキシシラン、３−アミノプロピルトリエトキシシラン、３−トリエトキシシリル−Ｎ−（１，３−ジメチル−ブチリデン）プロピルアミン、N−フェニル−３−アミノプロピルトリメトキシシラン、N−（ビニルベンジル）−２−アミノエチル−３−アミノプロピルトリメトキシシランなどをあげることができる。上記アミノ基を有するシランカップリング剤を含む塗料には、これらの１種又は２種以上の混合物を用いることができる。
【０１２１】
上記アンカーコート剤を用いてアンカーコートを形成する方法は、制限されず、公知のウェブ塗布方法を使用することができる。具体的には、ロールコート、グラビアコート、リバースコート、ロールブラッシュ、スプレーコート、エアナイフコート、及びダイコートなどの方法があげられる。このとき、必要に応じて任意の希釈溶剤、例えば、メタノール、エタノール、１−メトキシ−２−プロパノール、酢酸ｎブチル、トルエン、メチルエチルケトン、メチルイソブチルケトン、酢酸エチル、及びアセトンなどを使用することができる。
【０１２２】
また上記アンカーコート剤には、本発明の目的に反しない限度において、酸化防止剤、耐候性安定剤、耐光性安定剤、紫外線吸収剤、熱安定剤、帯電防止剤、界面活性剤、着色剤、赤外線遮蔽剤、レベリング剤、チクソ性付与剤、及びフィラー等の添加剤を１種、又は２種以上含ませてもよい。
【０１２３】
アンカーコートの乾燥厚みは、通常０．０１〜５μｍ程度、好ましくは０．１〜２μｍである。
【０１２４】
積層体
本発明の積層体は、アンカーコート以外の任意の層を更に含んでいてもよい。例えば、最表層側から順に、防眩性機能層（層α）、ハードコート（任意の層）、アンカーコート（任意の層）、ポリ（メタ）アクリルイミド系樹脂フィルムの層（層β）、アンカーコート（任意の層）、ハードコート（任意の層）を有する積層体；最表層側から順に、反射防止機能層（層αその１）、防眩性機能層（層αその２）、ハードコート（任意の層）、アンカーコート（任意の層）、ポリ（メタ）アクリルイミド系樹脂フィルムの層（層β）、アンカーコート（任意の層）、ハードコート（任意の層）を有する積層体；最表層側から順に、反射防止機能層（層αその１）、防眩性機能層（層αその２）、光拡散機能層（層αその３）、アンカーコート（任意の層）、ポリ（メタ）アクリルイミド系樹脂フィルムの層（層β）、アンカーコート（任意の層）、ハードコート（任意の層）を有する積層体；などをあげることができる。
【０１２５】
本発明の積層体は、全光線透過率（ＪＩＳ Ｋ ７３６１−１：１９９７に従い、日本電色工業株式会社の濁度計「ＮＤＨ２０００（商品名）」を用いて測定。）が、８０％以上である。全光線透過率が８０％以上の高透明なものであることにより、積層体を、タッチパネルのディスプレイ面板などの画像表示装置の部材として好適に用いることができる。全光線透過率は高いほど好ましく、好ましくは８５％以上、より好ましくは９０％以上である。
【０１２６】
本発明の積層体は、好ましくは、黄色度指数（ＪＩＳ Ｋ ７１０５：１９８１に従い、島津製作所社製の色度計「ＳｏｌｉｄＳｐｅｃ−３７００（商品名）」を用いて測定。）が５以下である。黄色度指数が５以下の着色のないものであることにより、積層体を、タッチパネルのディスプレイ面板などの画像表示装置の部材として極めて好適に用いることができる。黄色度指数は低いほど好ましく、より好ましくは３以下、更に好ましくは２以下である。
【実施例】
【０１２７】
以下、本発明を実施例により説明するが、本発明はこれらに限定されるものではない。
【０１２８】
測定方法
（１）積層体の全光線透過率：
ＪＩＳ Ｋ ７３６１−１：１９９７に従い、日本電色工業株式会社の濁度計「ＮＤＨ２０００（商品名）」を用いて測定した。
【０１２９】
（２）積層体のヘーズ：
ＪＩＳ Ｋ ７１３６：２０００に従い、日本電色工業株式会社の濁度計「ＮＤＨ２０００（商品名）」を用いて測定した。
【０１３０】
（３）積層体の黄色度指数：
ＪＩＳ Ｋ ７１０５：１９８１に従い、島津製作所社製の色度計「ＳｏｌｉｄＳｐｅｃ−３７００（商品名）」を用いて黄色度指数（ＹＩ）を測定した。
【０１３１】
（４）線膨張係数：
ＪＩＳ Ｋ ７１９７：１９９１に従い測定した。セイコーインスツル株式会社の熱機械的分析装置（ＴＭＡ）「ＥＸＳＴＡＲ６０００（商品名）」を用いた。試験片は、縦２０ｍｍ、横１０ｍｍの大きさで、積層体のマシン方向（ＭＤ）が試験片の縦方向となるように採取した。試験片の状態調節は、温度２３℃±２℃、相対湿度５０±５％で２４時間とし、積層体の物性値としての寸法安定性を測定する目的から、測定最高温度における状態調節は行わなかった。チャック間距離は１０ｍｍ、温度プログラムは、温度２０℃で３分間保持した後、昇温速度５℃／分で温度２７０℃まで昇温するプログラムとした。線膨張係数は、得られた温度−試験片長さ曲線から、低温側温度３０℃、高温側温度２２０℃として計算した。
【０１３２】
（５）碁盤目試験（上記層αと上記層βとの密着性）；
ＪＩＳ Ｋ  ５６００−５−６：１９９９に従い、積層体の上記層α側から、碁盤目の切れ込みを１００マス（１マス＝１ｍｍ×１ｍｍ）入れた後、密着試験用テープを碁盤目へ貼り付けて指でしごいた後、剥がした。評価基準はＪＩＳの上記規格の表１に従った。
分類０：カットの縁が完全に滑らかで、どの格子の目にも剥れがない。
分類１：カットの交差点における塗膜の小さな剥れ。クロスカット部分で影響を受けるのは、明確に５％を上回ることはない。
分類２：塗膜がカットの縁に沿って、及び／又は交差点において剥れている。クロスカット部分で影響を受けるのは、明確に５％を超えるが１５％を上回ることはない。
分類３：塗膜がカットの縁に沿って、部分的又は全面的に大剥れを生じており、及び／又は目のいろいろな部分が、部分的又は全面的に剥れている。クロスカット部分で影響を受けるのは、明確に１５％を超えるが３５％を上回ることはない。
分類４：塗膜がカットの縁に沿って、部分的又は全面的に大剥れを生じており、及び／又は数箇所の目が、部分的又は全面的に剥れている。クロスカット部分で影響を受けるのは、明確に３５％を超えるが６５％を上回ることはない。
分類５：剥れの程度が分類４を超える場合。
【０１３３】
（６）防眩性：
暗所において、４０Ｗ白色蛍光灯（３００ルックス）の光を、積層体の上記層α側の面と５０ｃｍの距離を隔てた位置から入射角４５°で入射し、積層体の上記層α側の面と垂直方向に、５０ｃｍの距離を隔てた位置から積層体の上記層α側の面を目視観察し、以下の基準で評価した。その際に、下記Ｃ−１の易接着化面に、下記活性エネルギー線硬化性樹脂組成物Ｐ−１を１００質量部とメチルイソブチルケトン５０質量部とを混合攪拌して得た塗料をグラビア方式の塗工装置を使用し、硬化後厚みが４μｍとなるように塗布してハードコートを形成して得た積層体を、基準サンプルとして使用した。
◎：非常に高い防眩性機能を発現している。
○：防眩性機能が高い。
△：防眩性機能が低い。
×：基準サンプルと同様の防眩性機能である。防眩性機能がない。
【０１３４】
（７）最低反射率：
日本分光株式会社の分光光度計「Ｕ−ｂｅｓｔ Ｖ−５７０（商品名）」を使用し、積層体の上記層α側の面について、波長３８０〜７８０ｎｍの反射率を測定し、その最低値を記録した。波形が波打つ場合には、スムージング処理を行い、最低値を求めた。
【０１３５】
（８）耐アルカリ性：
水酸化ナトリウム水溶液（濃度１モル％）０．５ミリリットルを、積層体の上記層α側の面に滴下し、３０分放置後に拭取り、汚染状況を目視により、以下の基準で評価した。
◎：汚染が見られない。
△：僅かに汚染される。
×：著しく汚染される。
【０１３６】
（９）干渉縞：
暗所において、積層体を上記層α側の面を上にして黒板（社団法人日本塗料工業会のＤ版塗料用標準色のＤＮ−１０相当の黒色）の上に置き、パナソニック株式会社の２０Ｗ昼白色の三波長形蛍光ランプ「パルック（商品名）」で照らし、蛍光ランプの像の周りの干渉縞を目視観察し、以下の基準で評価した。
◎：干渉縞が全く認められない。
○：干渉縞がほとんど認められない。
△：干渉縞がかすかに認められる。
×：干渉縞が明瞭に認められる。
【０１３７】
（イ）          ポリ（メタ）アクリルイミド系樹脂フィルムの全光線透過率：
ＪＩＳ Ｋ ７３６１−１：１９９７に従い、日本電色工業株式会社の濁度計「ＮＤＨ２０００（商品名）」を用いて測定した。
【０１３８】
（ロ）ポリ（メタ）アクリルイミド系樹脂フィルムのヘーズ：
ＪＩＳ Ｋ ７１３６：２０００に従い、日本電色工業株式会社の濁度計「ＮＤＨ２０００（商品名）」を用いて測定した。
【０１３９】
（ハ）ポリ（メタ）アクリルイミド系樹脂フィルムの黄色度指数：
ＪＩＳ Ｋ ７１０５：１９８１に従い、島津製作所社製の色度計「ＳｏｌｉｄＳｐｅｃ−３７００（商品名）」を用いて黄色度指数（ＹＩ）を測定した。
【０１４０】
（Ａ）ポリ（メタ）アクリルイミド系樹脂フィルム：
（Ａ−１）エボニック社のポリ（メタ）アクリルイミド系樹脂「ＡＣＲＹＭＩＤ ＴＴ７０（商品名）」を用い、５０ｍｍ押出機（Ｌ／Ｄ＝２９、ＣＲ＝１．８６のＷフライトスクリュウを装着）、ダイ幅６８０ｍｍのＴダイ、鏡面ロールと鏡面ベルトを備えた装置を使用し、押出機からＴダイの温度設定Ｃ１／Ｃ２／Ｃ３／ＡＤ／Ｄ１〜Ｄ６＝２８０／３００／３２０／３２０／３２０〜３２０℃、Ｔダイのリップ開度０．５ｍｍ、スクリュウ回転数９０ｒｐｍ、鏡面ロール表面温度１４０℃、鏡面ベルト表面温度１２０℃、鏡面ベルトの押圧１．４ＭＰａ、引取速度５．６ｍ／minの条件で、厚さ２５０μｍのフィルムを製膜した。上記試験（イ）〜（ハ）を行った。結果を表１に示す。
【０１４１】
（Ａ−２〜７）鏡面ロール表面温度、鏡面ベルト表面温度を表１に示すように変更したこと以外は、全てＡ−１と同様に行い、厚さ２５０μｍのフィルムを製膜した。上記試験（イ）〜（ハ）を行った。結果を表１又は２に示す。
【０１４２】
（Ａ−８）エボニック社のポリ（メタ）アクリルイミド系樹脂「ＡＣＲＹＭＩＤ ＴＴ７０（商品名）」を用い、５０ｍｍ押出機（Ｌ／Ｄ＝２９、ＣＲ＝１．８６のＷフライトスクリュウを装着）、ダイ幅６８０ｍｍのTダイ、第一鏡面ロールと第二鏡面ロールを備えた装置を使用し、押出機からＴダイの温度設定Ｃ１／Ｃ２／Ｃ３／ＡＤ／Ｄ１〜Ｄ６＝２８０／３００／３２０／３２０／３２０〜３２０℃、Ｔダイのリップ開度０．５ｍｍ、スクリュウ回転数９０ｒｐｍ、第一鏡面ロール表面温度１４０℃、第二鏡面ロール表面温度４０℃、鏡面ロール同士の押圧１．４ＭＰａ、引取速度５．６ｍ／minの条件で、厚さ２５０μｍのフィルムを製膜した。上記試験（イ）〜（ハ）を行った。結果を表２に示す。
【０１４３】
（Ａ−９）引取速度を２．６ｍ／ｍｉｎとし、フィルム厚みを５５０μｍに変更したこと以外は、全てＡ−３と同様に行い、フィルムを製膜した。上記試験（イ）〜（ハ）を行った。結果を表２に示す。
【０１４４】
（Ａ−１０）引取速度を２．６ｍ／ｍｉｎとし、フィルム厚みを５５０μｍに変更したこと以外は、全てＡ−８と同様に行い、フィルムを製膜した。上記試験（イ）〜（ハ）を行った。結果を表２に示す。
【０１４５】
（Ａ−１１）多層積層フィルムの両外層としてエボニック社のポリ（メタ）アクリルイミド系樹脂「ＡＣＲＹＭＩＤ ＴＴ７０（商品名）」を、中間層として住化スタイロンポリカーボネート株式会社の芳香族ポリカーボネート系樹脂「カリバー３０１−４（商品名）」を、２種３層マルチマニホールド方式の共押出Ｔダイから連続的に共押出し、回転する鏡面ロールと鏡面ロールの外周面に沿って循環する鏡面ベルトとの間に供給投入し、押圧して、全厚み２５０μｍ、第一ポリ（メタ）アクリルイミド系樹脂層の層厚み８０μｍ、芳香族ポリカーボネート系樹脂層の層厚み９０μｍ、第二ポリ（メタ）アクリルイミド系樹脂層の層厚み８０μｍの多層積層フィルムを得た。このとき設定条件は、製膜前の乾燥温度は、ポリ（メタ）アクリルイミド系樹脂が１５０℃、芳香族ポリカーボネート系樹脂が１００℃；ポリ（メタ）アクリルイミド系樹脂の押出機の設定温度はＣ１／Ｃ２／Ｃ３／Ｃ４／Ｃ５／ＡＤ＝２６０／２９０〜２９０℃；芳香族ポリカーボネート系樹脂の押出機の設定温度はＣ１／Ｃ２／Ｃ３／Ｃ４／Ｃ５／Ｃ６／ＡＤ＝２６０／２８０／２８０／２６０〜２６０／２７０℃；何れの押出機も窒素パージを行い、真空ベントを使用；Ｔダイの設定温度３００℃、リップ開度０．５ｍｍ；鏡面ロールの設定温度１３０℃；鏡面ベルトの設定温度１２０℃、押圧１．４ＭＰａ；引取速度６．５ｍ／分であった。上記試験（イ）〜（ハ）を行った。結果を表２に示す。
【０１４６】
（Ａ−１２）全厚みを５００μｍ、第一ポリ（メタ）アクリルイミド系樹脂層の層厚み８０μｍ、芳香族ポリカーボネート系樹脂層の層厚み３４０μｍ、第二ポリ（メタ）アクリルイミド系樹脂層の層厚み８０μｍに変更し、引取速度を３．３ｍ／分としたこと以外は、全てＡ−１１と同様に行い、フィルムを製膜した。上記試験（イ）〜（ハ）を行った。結果を表２に示す。
【０１４７】
【表１】
2015033851.tif 000003
【０１４８】
【表２】
2015033851.tif 000004
【０１４９】
（Ｂ）アンカーコート形成用塗料：
（Ｂ−１）信越化学工業株式会社のＮ−２−（アミノエチル）−３−アミノプロピルトリエトキシシラン「信越シリコーンＫＢＥ−６０３（商品名）」１質量部と；変性アルコール溶剤「エタノール／イソプロピルアルコール／メタノール＝８０／２０／１（体積比）の混合溶剤」１００質量部とを；混合攪拌して得た。
【０１５０】
（Ｂ−２）信越化学工業株式会社のビニルトリエトキシシラン「信越シリコーンＫＢＥ−１００３（商品名）」１質量部と；変性アルコール溶剤「エタノール／イソプロピルアルコール／メタノール＝８０／２０／１（体積比）の混合溶剤」１００質量部とを；混合攪拌して得た。
【０１５１】
（Ｂ−３）信越化学工業株式会社の３−グリシドキシプロピルトリエトキシシラン「信越シリコーンＫＢＥ−４０３（商品名）」１質量部と；変性アルコール溶剤「エタノール／イソプロピルアルコール／メタノール＝８０／２０／１（体積比）の混合溶剤」１００質量部とを；混合攪拌して得た。
【０１５２】
（Ｂ−４）信越化学工業株式会社の３−メタクリロキシプロピルトリエトキシシラン「信越シリコーンＫＢＥ−５０３（商品名）」１質量部と；変性アルコール溶剤「エタノール／イソプロピルアルコール／メタノール＝８０／２０／１（体積比）の混合溶剤」１００質量部とを；混合攪拌して得た。
【０１５３】
（Ｂ−５）信越化学工業株式会社の３−メルカプトプロピルトリメトキシシラン「信越シリコーンＫＢＭ−８０３（商品名）」１質量部と；変性アルコール溶剤「エタノール／イソプロピルアルコール／メタノール＝８０／２０／１（体積比）の混合溶剤」１００質量部とを；混合攪拌して得た。
【０１５４】
（Ｂ−６）信越化学工業株式会社の３−イソシアネートプロピルトリエトキシシラン「信越シリコーンＫＢＥ−９００７（商品名）」１質量部と；変性アルコール溶剤「エタノール／イソプロピルアルコール／メタノール＝８０／２０／１（体積比）の混合溶剤」１００質量部とを；混合攪拌して得た。
【０１５５】
（Ｂ−７）信越化学工業株式会社の３−ウレイドプロピルトリエトキシシラン「信越シリコーンＫＢＭ−５８５（商品名）」１質量部と；変性アルコール溶剤「エタノール／イソプロピルアルコール／メタノール＝８０／２０／１（体積比）の混合溶剤」１００質量部とを；混合攪拌して得た。
【０１５６】
（Ｂ−８）和信化学工業株式会社の熱可塑性ウレタン系アンカーコート剤「ワシンコートＶＨＫＥ−２１クリアー（商品名）」９０質量部と；和信化学工業株式会社の熱可塑性ウレタン系アンカーコート剤「ワシンコートＶＨＫＥ−２１Ｂマット（商品名）」１０質量部と；プロピレングリコールモノメチルエーテル１００質量部とを；混合攪拌して得た。
【０１５７】
易接着化ポリ（メタ）アクリルイミド系樹脂フィルム（Ｃ）
（Ｃ−１）上記Ａ−１の片面に、処理量１６７Ｗ・ｍｉｎ／ｍ２（放電電力５００Ｗ、放電電極の長さ１ｍ、ライン速度３ｍ／ｍｉｎ）の条件で、コロナ放電処理を行った。次に上記Ｂ−１をコロナ放電処理面に、フィルムメイヤーバー方式の塗工装置を使用して、乾燥膜厚みが０．５μｍとなるように塗布し、易接着化ポリ（メタ）アクリルイミド系樹脂フィルムを得た。
【０１５８】
（Ｃ−２〜４）コロナ放電処理量を、放電電力を調節して、表３に示す値に変更したこと以外は、全てＣ−１と同様に行い、易接着化ポリ（メタ）アクリルイミド系樹脂フィルムを得た。
【０１５９】
（Ｃ−５）コロナ放電処理を施さなかったこと以外は、全てＣ−１と同様に行い、易接着化ポリ（メタ）アクリルイミド系樹脂フィルムを得た。
【０１６０】
（Ｃ−６〜１２）上記Ｂ−１の替わりに表３又は表４に示すアンカーコート形成用塗料を用いたこと以外は、全てＣ−１と同様に行い、易接着化ポリ（メタ）アクリルイミド系樹脂フィルムを得た。
【０１６１】
（Ｃ−１３〜２３）上記Ａ−１の替わりに表５又は表６に示すポリ（メタ）アクリルイミド系樹脂フィルム（表ではフィルムＢと表記）を用いたこと以外は、全てＣ−１と同様に行い、易接着化ポリ（メタ）アクリルイミド系樹脂フィルムを得た。
【０１６２】
（Ｃ−２４）コロナ放電処理を施さず、アンカーコート形成も行なわず、上記Ａ−１をそのまま用いた。
【０１６３】
（Ｐ）防眩性機能層用塗料：
下記Ｐ−１を１００質量部、下記Ｐ−２を８質量部、下記Ｐ−３を１６質量部及びメチルイソブチルケトン５０質量部を混合攪拌して得た。
【０１６４】
（Ｐ−１）ジペンタエリスリトールヘキサアクリレート ６５質量部、ヘキサンジオールジアクリレート ３５質量部、及び双邦實業股分有限公司のフェニルケトン系光重合開始剤（１−ヒドロキシシクロヘキシルフェニルケトン）「ＳＢ−ＰＩ７１４（商品名）」６．５質量部を混合攪拌して得た活性エネルギー線硬化性樹脂組成物。屈折率１．４８。
（Ｐ−２）スチレン系樹脂微粒子。屈折率１．５９、平均粒子径５．０μｍ。
（Ｐ−３）スチレン系樹脂微粒子。屈折率１．５９、平均粒子径３．５μｍ。
【０１６５】
実施例１
上記Ｃ−１の易接着化面に、上記防眩性機能層用塗料Ｐを、グラビア方式の塗工装置を使用し、硬化後厚みが４μｍとなるように塗布して機能層αを形成し、積層体を得た。上記試験（１）〜（６）を行った。結果を表３に示す。
【０１６６】
実施例２〜２４
上記Ｃ−１に替えて、表３〜６の何れか１に示す易接着化ポリ（メタ）アクリルイミド系樹脂フィルム（表では易接着フィルムＣと表記）を用いたこと以外は、全て実施例１と同様に行った。結果を表３〜６の何れか１に示す。
【０１６７】
比較例１
上記Ｃ−１に替えて、三菱樹脂株式会社の厚み２５０μｍの二軸延伸ポリエチレンテレフタレート系フィルム「ダイヤホイル（商品名）」の片面に、処理量１６７Ｗ・ｍｉｎ／ｍ２ の条件で、コロナ放電処理を行い、上記記Ｂ−８をコロナ放電処理面に、フィルムメイヤーバー方式の塗工装置を使用して、乾燥膜厚みが０．５μｍとなるように塗布して易接着化したものを用いたこと以外は、全て実施例１と同様に行った。結果を表６に示す。なお試験（４）の線膨張係数は、試験片の収縮が大きく、測定値を得ることができなかった。
【０１６８】
比較例２
上記Ｃ−１に替えて、住友化学株式会社の厚み２５０μｍのアクリル系樹脂フィルム「テクノロイＳ００１Ｇ（商品名）」の片面に、処理量１６７Ｗ・ｍｉｎ／ｍ２ の条件で、コロナ放電処理を行い、上記記Ｂ−８をコロナ放電処理面に、フィルムメイヤーバー方式の塗工装置を使用して、乾燥膜厚みが０．５μｍとなるように塗布して易接着化したものを用いたこと以外は、全て実施例１と同様に行った。結果を表６に示す。
【０１６９】
【表３】
2015033851.tif 000005
【０１７０】
【表４】
2015033851.tif 000006
【０１７１】
【表５】
2015033851.tif 000007
【０１７２】
【表６】
2015033851.tif 000008
【０１７３】
（Ｑ）反射防止機能層用塗料：
（ＱＨ）高屈折率層形成用塗料：
下記ＱＨ−１を１００質量部、下記ＱＨ−２を４００質量部（固形分２４０質量部）、下記ＱＨ−３を４質量部、及び下記ＱＨ−４を０．８質量部、混合攪拌して得た。
【０１７４】
（ＱＨ−１）ジペンタエリスリトールヘキサアクリレート。
（ＱＨ−２）日産化学工業株式会社の固形分６０質量％のアンチモン酸亜鉛分散液「セルナックスＣＸ−Ｚ６１０Ｍ−Ｆ２（商品名）」。
（ＱＨ−３）チバ・スペシャルティ・ケミカルズ社の光重合開始剤「イルガキュア１８４（商品名）」。
（ＱＨ−４）日本ルーブリゾール株式会社の固形分２０質量％のアルキルアミンエチレンオキサイド・プロピレンオキサイド付加体系分散剤「ソルスパース２００００（商品名）」。
【０１７５】
（ＱＬ）低屈折率層形成用塗料：
下記ＱＬ−１を１００質量部、下記ＱＬ−２を７質量部（固形分１．４質量部）、及びメチルイソブチルケトン４２質量部を混合攪拌して得た。
【０１７６】
（ＱＬ−１）攪拌機、コンデンサー及び温度計を備えた１リットルフラスコに、ジシラン化合物「化学式：（ＣＨ３Ｏ）３Ｓｉ−Ｃ２Ｈ４−Ｃ６Ｆ１２−Ｃ２Ｈ４−Ｓｉ（ＯＣＨ３）３ 」２９．９ｇ（０．０５モル）、及びｔ−ブタノール１２５ｇを仕込み、２５℃で攪拌しているところに、０．１Ｎ酢酸水１０ｇを１０分かけて滴下。更に２５℃で２０時間攪拌し、加水分解を終了し、ここに縮合触媒としてアルミニウムアセチルアセトナート２ｇ、レベリング剤としてポリエーテル変性シリコーン１ｇを加え、更に３０分間攪拌し、得た溶液に、エタノール６７０ｇ、プロピレングリコールモノメチルエーテル４０ｇ、ジアセトンアルコール４０ｇを加えて希釈し調整した塗料。（固形分３質量％）。
（ＱＬ−２）触媒化成工業株式会社の固形分２０質量％の中空シリカ粒子メチルイソブチルケトン分散液「ＥＬＣＯＭ  ＲＫ−１０１８ＳＩＶ（商品名）」。
【０１７７】
実施例２５
上記Ｃ−１の易接着化面に、上記高屈折率層形成用塗料ＱＨを、硬化後膜厚みが８０ｎｍとなるように塗布し（高屈折率層の屈折率１．７０）、更に高屈折率層の上に、上記低屈折率層形成用塗料ＱＬを、硬化後厚みが７０ｎｍとなるように塗布し（低屈折率層の屈折率１．３９）、積層体を得た。上記試験（１）〜（５）、（７）〜（９）を行った結果を表７に示す。
【０１７８】
実施例２６〜４８
上記Ｃ−１に替えて、表７〜１０の何れか１に示す易接着化ポリ（メタ）アクリルイミド系樹脂フィルム（表では易接着フィルムＣと表記）を用いたこと以外は、全て実施例２５と同様に行った。結果を表７〜１０の何れか１に示す。
【０１７９】
比較例３
上記Ｃ−１に替えて、三菱樹脂株式会社の厚み２５０μｍの二軸延伸ポリエチレンテレフタレート系フィルム「ダイヤホイル（商品名）」の片面に、処理量１６７Ｗ・ｍｉｎ／ｍ２ の条件で、コロナ放電処理を行い、上記記Ｂ−８をコロナ放電処理面に、フィルムメイヤーバー方式の塗工装置を使用して、乾燥膜厚みが０．５μｍとなるように塗布して易接着化したものを用いたこと以外は、全て実施例２５と同様に行った。結果を表１０に示す。なお試験（４）の線膨張係数は、試験片の収縮が大きく、測定値を得ることができなかった。
【０１８０】
比較例４
上記Ｃ−１に替えて、住友化学株式会社の厚み２５０μｍのアクリル系樹脂フィルム「テクノロイＳ００１Ｇ（商品名）」の片面に、処理量１６７Ｗ・ｍｉｎ／ｍ２ の条件で、コロナ放電処理を行い、上記記Ｂ−８をコロナ放電処理面に、フィルムメイヤーバー方式の塗工装置を使用して、乾燥膜厚みが０．５μｍとなるように塗布して易接着化したものを用いたこと以外は、全て実施例２５と同様に行った。結果を表１０に示す。
【０１８１】
【表７】
2015033851.tif 000009
【０１８２】
【表８】
2015033851.tif 000010
【０１８３】
【表９】
2015033851.tif 000011
【０１８４】
【表１０】
2015033851.tif 000012
【０１８５】
本発明の積層体は、機能層とポリ（メタ）アクリルイミド系樹脂フィルム層との密着強度に優れ、画像表示装置に要求される１以上の機能を有し、透明性、剛性、耐熱性、及び寸法安定性に優れ、色調も良好である。一方、比較例１〜４は線膨張係数（耐熱性と寸法安定性）に劣る。
【図面の簡単な説明】
【０１８６】
【図１】実施例において、ポリ（メタ）アクリルイミド系樹脂フィルムの製膜に用いた装置の概念図である。
【符号の説明】
【０１８７】
１：Tダイ
２：溶融フィルム
３：鏡面ロール
４：鏡面ベルト
５：一対のベルトローラー
【図１】
2015033851.tif 000013